(57)【要約】【課題】ミストノズルへの使用者の接触及び異物の付着を抑制しつつも、小型化が可能なミスト発生装置及び美容装置を提供すること。【解決手段】使用者がミストノズル２０（ミスト放出口２１）に接触しないようにミストノズル２０からの距離を規制する開位置を維持するとともに、ミストノズル２０を覆う閉位置を維持するように形成された保護具２６が備えられる。【選択図】図１
2011087909.tif 000002
【特許請求の範囲】
【請求項１】
ミストを生成しその生成したミストをミストノズルから所定の方向へ放出させるミスト発生手段を備えたミスト発生装置において、
使用者が前記ミストノズルに接触しないように前記ミストノズルからの距離を規制する第１の位置を維持するとともに、少なくとも前記ミストノズルを覆う第２の位置を維持するように形成された可動式の保護具を備えることを特徴とするミスト発生装置。
【請求項２】
請求項１に記載のミスト発生装置において、
前記保護具は、第１の可動範囲で前記ミストノズルと連動して動き、前記第１の可動範囲とは異なる第２の可動範囲で前記ミストノズルとは独立して動くように構成されていることを特徴とするミスト発生装置。
【請求項３】
請求項２に記載のミスト発生装置において、
前記第１の可動範囲は、前記ミストノズルの可動範囲であり、
前記第２の可動範囲は、前記ミストノズルの可動が規制されてから前記保護具が前記第２の位置に維持されるまでの可動範囲であることを特徴とするミスト発生装置。
【請求項４】
請求項２又は請求項３に記載のミスト発生装置において、
前記保護具と前記ミストノズルとを連動させるリンク機構をさらに備え、
前記保護具は、前記リンク機構により前記ミストノズルと連動して動くように構成されていることを特徴とするミスト発生装置。
【請求項５】
請求項４に記載のミスト発生装置において、
前記リンク機構は、前記保護具と前記ミストノズルとを接続するリンク部材を備え、
前記リンク部材は、屈曲していることを特徴とするミスト発生装置。
【請求項６】
請求項５に記載のミスト発生装置において、
前記リンク部材の屈曲角度は鈍角であることを特徴とするミスト発生装置。
【請求項７】
請求項５又は請求項６に記載のミスト発生装置において、
前記リンク機構を保持する保持部材には、前記リンク部材が可動するための可動空間が設けられていることを特徴とするミスト発生装置。
【請求項８】
請求項２〜請求項７のいずれか１項に記載のミスト発生装置において、
前記保護具の開閉状態を検知する検知手段と、前記検知手段の検知結果に基づき前記ミスト発生手段を制御する制御手段とを備えることを特徴とするミスト発生装置。
【請求項９】
請求項２〜８のいずれか１項に記載のミスト発生装置において、
前記保護具に接触可能な接触部をさらに備え、
前記接触部は、前記第１の可動範囲において前記保護具に接触して前記保護具を保持可能に構成されている一方で、前記第２の可動範囲において前記保護具に非接触として前記保護具の保持を解除することで前記保護具を前記第２の位置に維持させるように構成されていることを特徴とするミスト発生装置。
【請求項１０】
請求項９に記載のミスト発生装置において、
前記接触部は、前記保護具に対して移動可能に構成されていることを特徴とするミスト発生装置。
【請求項１１】
請求項１に記載のミスト発生装置において、
前記保護具は、前記ミストノズルと連動して動くように構成されていることを特徴とするミスト発生装置。
【請求項１２】
請求項１に記載のミスト発生装置において、
前記保護具は、前記ミストノズルとは独立して動くように構成されていることを特徴とするミスト発生装置。
【請求項１３】
請求項１〜１２のいずれか１項に記載のミスト発生装置において、
前記第１の位置は、前記保護具の少なくとも一部が前記ミストノズルの上方に配置されるとともに、前記ミストノズルから放出される前記ミストを使用者に向けて放出可能な位置であることを特徴とするミスト発生装置。
【請求項１４】
請求項１〜１３のいずれか１項に記載のミスト発生装置において、
前記ミスト発生手段は、液体から温ミストを生成することを特徴とするミスト発生装置。
【請求項１５】
ミストを放出して肌表面の手入れを行う美容装置において、
請求項１〜１４のいずれか１項に記載のミスト発生装置を有することを特徴とする美容装置。
【発明の詳細な説明】
【技術分野】
【０００１】
本発明は、ミスト発生装置、及びミスト発生装置を有する美容装置に関するものである。
【背景技術】
【０００２】
従来、ミスト発生装置は、液体をヒータにて沸騰させたり超音波にて霧化させたりして発生させたミストを顔など人体に向けて放出することで、肌に潤いを与えるなどの美容効果や肌ケアを目的とした装置として用いられている。図１５に示すように、このようなミスト発生装置８０として、ミストを放出するミストノズル８１，８２に保護具８３が取り付けられ、本体ケース８４に対し開閉可能に取り付けられた本体蓋８５にてミストノズル８１，８２及び保護具８３が露出・隠蔽可能に構成されたものが提案されている（例えば特許文献１参照）。このミスト発生装置８０では、ミストノズル８１，８２からの距離を規制するように保護具８３が設けられているため、この保護具８３によって使用者の手がミストノズル８１，８２に触れる動作を規制することができる。これにより、例えばミストノズル８１，８２から噴射された直後の比較的高温の温ミストや、その温ミストを放出しているミストノズル８１，８２に使用者の手が直接触れることを抑制することができる。さらに、ミスト発生装置８０では、本体蓋８５によってミストノズル８１，８２を隠蔽することで、ミストノズル８１，８２への埃などの異物の付着・堆積を回避できるため、ミストノズル８１，８２を衛生に保つことができる。
【先行技術文献】
【特許文献】
【０００３】
【特許文献１】特開２００８−２９５８１３号公報
【発明の概要】
【発明が解決しようとする課題】
【０００４】
ところが、上記ミスト発生装置８０において、本体蓋８５によってミストノズル８１，８２を隠蔽するためには、それらミストノズル８１，８２に取り付けられた保護具８３も収納可能なように本体蓋８５を形成する必要がある。これにより、本体蓋８５が大型化するため、その本体蓋８５が取り付けられるミスト発生装置８０も大型化するという問題がある。
【０００５】
本発明は、上記課題を解決するためになされたものであって、その目的は、ミストノズルへの使用者の接触及び異物の付着を抑制しつつも、小型化が可能なミスト発生装置及び美容装置を提供することになる。
【課題を解決するための手段】
【０００６】
上記課題を解決するために、請求項１に記載の発明は、ミストを生成しその生成したミストをミストノズルから所定の方向へ放出させるミスト発生手段を備えたミスト発生装置において、使用者が前記ミストノズルに接触しないように前記ミストノズルからの距離を規制する第１の位置を維持するとともに、少なくとも前記ミストノズルを覆う第２の位置を維持するように形成された可動式の保護具を備えることをその要旨とする。
【０００７】
この発明では、保護具を第１の位置に維持することによって、その保護具によりミストノズルからの距離が規制されるため、使用者の手がミストノズルに対して接近したときに、ミストノズルに触れる前に保護具に手が接触することになる。これにより、使用者の手がミストノズルに直接触れることを抑制することができる。また、保護具を第２の位置に維持することによって、その保護具によりミストノズルが覆われた状態が維持されるため、ミストノズルへの異物の付着・堆積も抑制することができる。このように保護具の位置（姿勢）を変更するのみで、ミストノズルへの使用者の接触及び異物の付着を抑制することができる。したがって、従来のミスト発生装置８０のように、保護具と別に本体蓋を設ける必要がない。これにより、本体蓋が省略された分だけミスト発生装置を小型化することができる。
【０００８】
請求項２に記載の発明は、請求項１に記載のミスト発生装置において、前記保護具は、第１の可動範囲で前記ミストノズルと連動して動き、前記第１の可動範囲とは異なる第２の可動範囲で前記ミストノズルとは独立して動くように構成されていることをその要旨とする。
【０００９】
この発明では、第１の可動範囲において保護具がミストノズルと連動して動くため、この第１の可動範囲においては、保護具の角度を変更することによってミストノズルの角度を変更することができる。これにより、そのミストノズルから放出されるミストの放出方向を変更することができる。このように、保護具を操作することによりミストノズルの角度を変更できるため、角度調整の操作性を向上させることができる。さらに、ミストノズルに直接触れることなくミストの放出方向を変更することができるため、使用者の手がミストノズルに触れることを好適に抑制することができる。また、第２の可動範囲においては、保護具がミストノズルとは独立して動くため、この第２の可動範囲でも保護具とミストノズルとが連動して動く場合に比べて、ミストノズルの可動範囲を狭くすることができ、ミストノズル周辺の構成をコンパクトにすることができる。
【００１０】
請求項３に記載の発明は、請求項２に記載のミスト発生装置において、前記第１の可動範囲は、前記ミストノズルの可動範囲であり、前記第２の可動範囲は、前記ミストノズルの可動が規制されてから前記保護具が前記第２の位置に維持されるまでの可動範囲であることをその要旨とする。
【００１１】
この発明では、ミストノズルの可動範囲では保護具とミストノズルとが連動して動くため、保護具を操作することによってミストノズルの角度を調整することができ、そのミストノズルから放出されるミストの放出方向も調整することができる。また、第１の位置から第２の位置に移行される第２の可動範囲では保護具が独立して動くため、その第２の可動範囲の分だけミストノズルの可動範囲を狭くすることができ、ミストノズル周辺の構成をコンパクトにすることができる。
【００１２】
請求項４に記載の発明は、請求項２又は請求項３に記載のミスト発生装置において、前記保護具と前記ミストノズルとを連動させるリンク機構をさらに備え、前記保護具は、前記リンク機構により前記ミストノズルと連動して動くように構成されていることをその要旨とする。
【００１３】
この発明では、リンク機構により保護具とミストノズルが連動して動くため、保護具を操作することによってミストノズルの角度を調整することができ、そのミストノズルから放出されるミストの放出方向も調整することができる。そして、保護具の操作によってミストノズルの角度を調整できるため、使用者の手がミストノズルに触れることを好適に抑制することができる。
【００１４】
請求項５に記載の発明は、請求項４に記載のミスト発生装置において、前記リンク機構は、前記保護具と前記ミストノズルとを接続するリンク部材を備え、前記リンク部材は、屈曲していることをその要旨とする。
【００１５】
この発明では、リンク機構をなすリンク部材を屈曲させている。このため、第２の可動範囲では保護具がミストノズルから独立して動く一方で、第１の可動範囲では保護具とミストノズルとが連動するように、第１の可動範囲及び第２の可動範囲を分けて設定することができる。
【００１６】
請求項６に記載の発明は、請求項５に記載のミスト発生装置において、前記リンク部材の屈曲角度は鈍角であることをその要旨とする。この発明では、リンク部材の屈曲角度を鈍角としているため、第１の可動範囲と第２の可動範囲とを分けて設定することができる。
【００１７】
請求項７に記載の発明は、請求項５又は請求項６に記載のミスト発生装置において、前記リンク機構を保持する保持部材には、前記リンク部材が可動するための可動空間が設けられていることをその要旨とする。
【００１８】
この発明では、可動空間を保持部材に設けているため、保持部材とリンク部材とが接触することを抑制し、保護具とミストノズルを少ない力でスムーズに操作することができる。
【００１９】
請求項８に記載の発明は、請求項２〜請求項７のいずれか１項に記載のミスト発生装置において、前記保護具の開閉状態を検知する検知手段と、前記検知手段の検知結果に基づき前記ミスト発生手段を制御する制御手段とを備えることをその要旨とする。
【００２０】
この発明では、保護具の開閉状態を検知手段で検知するとともに、この検知手段の検知結果に基づきミスト発生手段を制御できる。
請求項９に記載の発明は、請求項２〜８のいずれか１項に記載のミスト発生装置において、前記保護具に接触可能な接触部をさらに備え、前記接触部は、前記第１の可動範囲において前記保護具に接触して前記保護具を保持可能に構成されている一方で、前記第２の可動範囲において前記保護具に非接触として前記保護具の保持を解除することで前記保護具を前記第２の位置に維持させるように構成されていることをその要旨とする。
【００２１】
この発明では、第１の可動範囲において接触部の接触により保護具が保持されるため、保護具の操作によってミストノズルを所望の角度に調整した状態を保持させることができる。その一方で、第２の可動範囲では、接触部が非接触とされて保護具の保持が解除され、保護具が第２の位置に維持される。このため、保護具によりミストノズルが覆われた状態が維持されるため、ミストノズルへの異物の付着・堆積を抑制することができる。
【００２２】
請求項１０に記載の発明は、請求項９に記載のミスト発生装置において、前記接触部は、前記保護具に対して移動可能に構成されていることをその要旨とする。
この発明では、接触部が保護具に対して移動可能なため、保護具が第２の可動範囲から第１の可動範囲へ操作された場合、接触部が保護具と非接触の状態から接触する状態へ変化することで操作感（操作に要する力）に変化を与え、第１の可動範囲と第２の可動範囲との境界を使用者に認識させることができる。
【００２３】
請求項１１に記載の発明は、請求項１に記載のミスト発生装置において、前記保護具は、前記ミストノズルと連動して動くように構成されていることをその要旨とする。
この発明では、保護具がミストノズルと連動して動くため、保護具の角度を変更することによってミストノズルの角度を変更することができる。このように保護具を操作することによりミストノズルの角度を変更できるため、角度調整の操作性を向上させることができるとともに、ミストノズルに使用者の手が直接触れることを抑制することができる。
【００２４】
請求項１２に記載の発明は、請求項１に記載のミスト発生装置において、前記保護具は、前記ミストノズルとは独立して動くように構成されていることをその要旨とする。
この発明では、保護具がミストノズルとは独立して動くため、これら保護具とミストノズルとを連結する連結手段が必要ない。このため、簡便な構成によって、ミストノズルへの使用者の接触及び異物の付着を抑制することができる。
【００２５】
請求項１３に記載の発明は、請求項１〜１２のいずれか１項に記載のミスト発生装置において、前記第１の位置は、前記保護具の少なくとも一部が前記ミストノズルの上方に配置されるとともに、前記ミストノズルから放出される前記ミストを使用者に向けて放出可能な位置であることをその要旨とする。
【００２６】
この発明では、ミストノズルからミストが放出されているときに、使用者の手がミストノズルに対し上方から接近したとしても、ミストノズルに触れる前にそのミストノズルの上方に配置された保護具に手が接触することになる。これにより、使用者の手がミストノズルに直接触れることを抑制することができる。
【００２７】
請求項１４に記載の発明は、請求項１〜１３のいずれか１項に記載のミスト発生装置において、前記ミスト発生手段は、液体から温ミストを生成することをその要旨とする。
この発明では、ミストノズルから比較的高温の温ミストが放出される。ここで、保護具を第１の位置に維持することによって、その保護具によりミストノズルからの距離が規制されるため、ミストノズルから放出された直後で比較的高温の温ミストや、その温ミストを放出しているミストノズルに使用者の手が直接触れることを抑制することができる。
【００２８】
請求項１５に記載の発明は、ミストを放出して肌表面の手入れを行う美容装置において、請求項１〜１４のいずれか１項に記載のミスト発生装置を有する美容装置であることをその要旨とする。この発明によれば、ミストノズルへの使用者の接触及び異物の付着を抑制しつつも、小型化が可能となる。
【発明の効果】
【００２９】
本発明によれば、ミストノズルへの使用者の接触及び異物の付着を抑制しつつも、小型化が可能なミスト発生装置及び美容装置を提供することができる。
【図面の簡単な説明】
【００３０】
【図１】（ａ）、（ｂ）は、第１の実施形態における美容器を示す斜視図である。
【図２】第１の実施形態における美容器を前後方向で切断し右側から見た断面図である。
【図３】（ａ）、（ｂ）は、第１の実施形態における保護具の動作を説明するための概略断面図である。
【図４】（ａ）、（ｂ）は、第２の実施形態における美容器を示す斜視図である。
【図５】第２の実施形態における美容器の配管構成を示す模式図である。
【図６】第２の実施形態における保護具、ミストノズル、及びベース部材を前後方向で切断し左側から見た断面図である。
【図７】第２の実施形態における保護具、ミストノズル、及びベース部材を水平方向で切断し上方から見た断面図である。
【図８】第２の実施形態における保護具、ミストノズル、及びベース部材を前後方向で切断し右側から見た断面図である。
【図９】第２の実施形態における保護具、ミストノズル、及びベース部材を前後方向で切断し右側から見た断面図である。
【図１０】第２の実施形態における保護具、ミストノズル、及びベース部材を前後方向で切断し右側から見た断面図である。
【図１１】（ａ）〜（ｄ）は、第２の実施形態における保護具、及びミストノズルの動作を説明するための模式図である。
【図１２】（ａ）、（ｂ）は、変形例における保護具の動作を説明するための概略断面図である。
【図１３】変形例における保護具を示す概略断面図である。
【図１４】変形例における保護具を示す概略断面図である。
【図１５】従来の美容器を示す斜視図である。
【発明を実施するための形態】
【００３１】
（第１の実施形態）
以下、本発明を美容器に具体化した第１の実施形態を図面に従って説明する。なお、以下の説明において、「前（手前）」「後」「上」「下」「左」「右」は、美容器の使用者が、美容器を使用する際に美容器に向いた状態を基準とした場合の「前（手前）」「後」「上」「下」「左」「右」を示すものとする。
【００３２】
図１は、本実施形態のミスト発生装置を備える美容装置としての美容器１０を示す。有底略円筒状の本体ケース１１には美容器本体１２が収容されて固定されている。美容器本体１２の上ハウジング１３の上面１３ａの前側中央部には、上面１３ａの法線方向に突出する突出部１４が形成されている。
【００３３】
そして、突出部１４の後側の上ハウジング１３には、突出部１４の後側面から後方に向けて下方に傾斜される傾斜面１５を有する凹部１６が形成されている。この凹部１６には、温ミストを放出（噴出）するミストノズル２０が配設されている。ミストノズル２０は、ミスト放出口２１の周りに略ドーム状に形成されたノズルカバー２２が一体形成されて構成されている。
【００３４】
このミストノズル２０は、図２に示すように、ミスト放出口２１の内側に、ノズルパッキン２３が固着され、そのノズルパッキン２３にはノズルホルダ２４が連結固定されている。ノズルホルダ２４には、蛇腹状に形成された蛇腹部材２５の先端部が連結固定されている。そして、蛇腹部材２５を介して誘導された温ミストは、ミスト放出口２１に誘導されるようになっている。
【００３５】
ミストノズル２０は、美容器本体１２に対し所定角度（例えば、２５〜５５°）で矢印Ａ方向（上下方向）に回動可能となるように図示しない支持軸を介して同美容器本体１２に取着されている。そして、ミストノズル２０を上下方向に回動させることで、ミスト放出口２１から放出される温ミストの放出方向を上下方向に調整可能となっている。
【００３６】
ミストノズル２０のノズルカバー２２には、図１に示すように、保護具２６が上下方向に回動可能に取着されている。この保護具２６は、略矩形状に形成され、その左右両側部が垂下されて断面略コの字状に形成されている。そして、保護具２６は、図１（ａ）に示すようにミストノズル２０を露出させて美容器１０を使用可能な第１の位置としての開位置（開かれた状態）と、図１（ｂ）に示すようにミストノズル２０を覆う第２の位置としての閉位置（閉じられた状態）との間で上下方向に回動可能に構成されている。
【００３７】
保護具２６は、美容器１０を使用する際、開位置を保つようになっている。この開位置は、図１（ａ）に示すように、ミストノズル２０、とくにミスト放出口２１からの距離（使用者とミスト放出口２１との距離）を規制するように保護具２６が配置されるため、使用者の手がミスト放出口２１に直接触れるのを抑制することのできる位置（姿勢）になっている。すなわち、保護具２６がミスト放出口２１（ミストノズル２０）の上方に配置されるため、例えば保護具２６の上方から下方へ向けて使用者の手が移動し、ミスト放出口２１に触れようとすると、ミスト放出口２１に触れる前に保護具２６に手が接触することになる。これにより、使用者の手がミスト放出口２１に直接触れることを抑制することができる。また、上記開位置は、保護具２６が上方に向けられるため、保護具２６によって温ミストの放出が遮られず、使用者に対し温ミストを放出するのに適した姿勢にもなっている。
【００３８】
一方、保護具２６が閉位置の場合には、図１（ｂ）に示すように、保護具２６の外側面２６ａが上記突出部１４の表面と面一になり、ミストノズル２０が保護具２６及び凹部１６によって形成される空間に収容されるようになっている。このため、美容器１０を使用しない場合、保護具２６を閉じることでミストノズル２０（とくに、ミスト放出口２１）に異物が付着することを抑制し、衛生に保つことができるようになっている。また、ミストノズル２０のミスト放出口２１に異物が付着することで、温ミストの放出方向が変化し、使用感を損なうことを防止することができる。すなわち、温ミストが予め定めた方向以外の方向に放出されることを抑制できる。そして、保護具２６は、この閉位置を保つようになっている。具体的には、保護具２６の先端部に設けられたフック部２６ｂ（図１（ａ）参照）を、突出部１４の後方に設けられた開閉ボタン１４ａに係合させることにより、外力を加えない状態でも保護具２６が閉位置に維持されるようになっている。なお、使用者により開閉ボタン１４ａが押し込み操作されると、開閉ボタン１４ａが手前方向に回動するとともにその開閉ボタン１４ａとフック部２６ｂとの係合が解除され、保護具２６を開けることができるようになっている。
【００３９】
このように保護具２６の位置（姿勢）を変更することのみによって、使用者の手がミストノズル２０に直接触れるのを抑制できるとともに、美容器１０の未使用時にミストノズル２０への異物の付着を抑制することができる。このため、保護具２６と別に従来の本体蓋８５を設ける必要がない。したがって、本体蓋８５が省略された分だけ美容器１０を小型化することができる。
【００４０】
また、美容器本体１２の上ハウジング１３の上面１３ａの右側には、電源ボタン２７と運転制御ボタン２８とが前後方向に並べて設けられている。電源ボタン２７は、美容器１０の電源をオン及びオフする際に操作されるボタンであり、運転制御ボタン２８は、電源がオン状態のときに美容器１０の運転開始及び運転停止をする際に操作されるボタンである。
【００４１】
保護具２６の後側には、ミストノズル２０から放出する温ミストを発生するのに使用される液体（本実施形態では、水）を、所定量（本実施形態では、約１００ｍｌ）貯蔵する給水タンク２９が、美容器本体１２に収容された状態で設置されている。具体的には、給水タンク２９は、図２に示すように、美容器本体１２の上面に開口するように形成されたタンクホルダ２９ａに対し、上下（垂直）方向に挿入及び取り出し可能に収納されている。
【００４２】
美容器本体１２には、図２に示すように、ミスト発生機構３０が備えられている。ミスト発生機構３０は、給水タンク２９から供給される水を加熱して温ミストを発生させる温ミストボイラ室３１と、発生させた温ミストを微細化（イオン化）する放電部３２と、微細化した温ミストを放出するミストノズル２０とから主に構成されている。
【００４３】
給水タンク２９をセットするタンクホルダ２９ａの下端に設けられた接続部２９ｂには、給水タンク２９から供給される水を、ミスト発生機構３０及び排水口（図示略）へ供給可能に分岐させる分岐部Ｇが連設されている。分岐部Ｇには、耐熱性を備えた弾性材料（例えば、シリコンゴムやフッ素ゴム）で形成された給水パイプＰ１の一端が接続されている。給水パイプＰ１の他端は、温ミストボイラ室３１に接続されており、タンクホルダ２９ａから温ミストボイラ室３１に水を供給する給水経路Ｋ１が形成されている。温ミストボイラ室３１には、供給された水を加熱して温ミストを発生させる温ミストヒータ３１ａを備えた沸騰室３１ｂが設けられている。沸騰室３１ｂには、給水経路Ｋ１から側方に分岐された給水経路Ｋ２により水が供給されるようになっている。なお、この沸騰室３１ｂの水位は、所定の水位Ｗに保たれるようになっている。
【００４４】
また、温ミストボイラ室３１の上方には、温ミストヒータ３１ａにより発生した温ミストをミストノズル２０へ誘導する温ミスト誘導部材３３が接続されている。この温ミスト誘導部材３３には、上記蛇腹部材２５の下端が接続されている。そして、温ミスト誘導部材３３及び蛇腹部材２５によって、温ミストヒータ３１ａにより発生した温ミストをミスト放出口２１へ誘導する温ミスト経路Ｍ１が形成されている。
【００４５】
温ミスト誘導部材３３には、温ミスト経路Ｍ１の内部に放電部３２が設けられている。放電部３２は、高圧回路３４に接続された放電針を温ミスト経路Ｍ１に面して設置したものであり、その放電針からの高圧放電によって温ミストが微細化される。
【００４６】
このように構成されたミスト発生機構３０は、給水タンク２９からタンクホルダ２９ａに供給された水が、給水経路Ｋ１及び給水経路Ｋ２を通って沸騰室３１ｂに供給される。沸騰室３１ｂに供給された水は、温ミストヒータ３１ａにより加熱及び気化されることで、温ミスト化される。発生された温ミストは、温ミスト経路Ｍ１を通って上方に導かれるとともに、放電部３２において放電針の間で行われる高圧放電により微細化（イオン化）される。この微細化された温ミストは、ミスト放出口２１から前方に向けて放出（噴射）される。そして、ミストノズル２０を矢印Ａ方向に回動させることで、ミスト放出口２１から放出される温ミストの放出方向を上下方向に調整することができる。
【００４７】
ここで、ミストノズル２０は、上述したように、美容器本体１２に対して図示しない支持軸に回動可能に軸支されている。詳述すると、ミストノズル２０は、支持軸の中心軸線Ｘを回転中心として回動し、ノズルカバー２２の端部が規制部３５に当接することによりその回動範囲が規制されるようになっている。そして、ミストノズル２０は、その回動範囲では、ミスト放出口２１及びノズルカバー２２が連結固定されたノズルホルダ２４が図示しない板バネにより左右からバネ付勢されており、その摩擦力によりその時々の回動位置が保持されるようになっている。
【００４８】
次に、保護具２６とミストノズル２０との連結構造について図３に基づき説明する。なお、図３は、保護具２６とミストノズル２０との連結構造及びそれら保護具２６及びミストノズル２０の動作を説明するための概略断面図である。
【００４９】
図３に示すように、ノズルカバー２２のミスト放出口２１の後側には、貫通孔２２ａが形成されているとともに、その貫通孔２２ａの左右両側には、左右一対（一方のみ図示）の回転支持片４０が後方に向かって延出形成されている。この左右一対の回転支持片４０には、保護具２６が上下方向に回転可能に軸支されている。具体的には、保護具２６は、支持軸（図示略）の中心軸線Ｙを回転中心として回動可能に回転支持片４０に取り付けられている。また、ノズルカバー２２の内側には、貫通孔２２ａと相対向するようにベース部２２ｂが形成されている。このベース部２２ｂと上記回転支持片４０に回転可能に軸支された保護具２６との間には、貫通孔２２ａに挿通されたバネ４１が連結されている。
【００５０】
また、保護具２６は、回転支持片４０に対する開方向（上方向）の回動がストッパー（図示略）によって規制されており、例えば当該保護具２６がミストノズル２０の上方に配置され、且つ当該保護具２６によって温ミストの放出が遮られない位置（図１（ａ）参照）で全開状態となるように設定されている。ここで、保護具２６が開位置に位置する時には、保護具２６は、バネ４１の弾性力により、常に回転支持片４０に対して全開状態（ストッパーによって回動が規制された状態）となる。換言すると、開位置の保護具２６とノズルカバー２２のベース部２２ｂとは、保護具２６からの圧縮荷重によってバネ４１を所定のバネ荷重（設定荷重）で圧縮した状態で保持されるようになっている。ここで、上記バネ荷重は、中心軸線Ｘを回転中心としてノズルカバー２２（ミストノズル２０）を回転させる荷重（回転荷重）よりも強い荷重になるように設定されている。
【００５１】
このため、保護具２６に対してミストノズル２０の回転荷重よりも強い荷重が加えられるまでは、上記全開状態を維持したまま保護具２６とミストノズル２０とが一体となって中心軸線Ｘを回転中心として回動する（図３（ａ）、（ｂ）参照）。すなわち、ミストノズル２０の回動範囲（第１の可動範囲）では、保護具２６とミストノズル２０（ミスト放出口２１）との位置関係（すなわち、保護具２６の開位置）が維持されたまま保護具２６とミストノズル２０とが連動して回動する。したがって、保護具２６を上下方向に回動させることで、ミストノズル２０の角度、ひいてはミスト放出口２１から放出される温ミストの放出方向を上下方向に調整することができる。なお、上述したように、ミストノズル２０の回動範囲では、ミスト放出口２１及びノズルカバー２２が連結固定されたノズルホルダ２４が図示しない板バネにより左右からバネ付勢されており、その摩擦力により上記調整した回動位置を保持することができる。
【００５２】
一方、図３（ｂ）に示すようにミストノズル２０の回動が規制部３５によって規制された後、保護具２６に対してバネ４１のバネ荷重よりも強い荷重が加えられると、バネ４１が縮み、保護具２６が中心軸線Ｘを回転中心として閉方向（下方向）に回動するようになっている。そして、保護具２６のフック部２６ｂを、突出部１４（図１参照）の開閉ボタン１４ａに係合することにより、保護具２６は閉位置を維持する（図３（ｂ）の２点鎖線参照）。このように、保護具２６を閉じる際には、保護具２６がミストノズル２０とは独立して回動する。すなわち、ミストノズル２０の下方向の回動が規制部３５によって規制されてから閉位置を維持するまでの範囲（第２の可動範囲）では、保護具２６がミストノズル２０とは独立して回動するようになっている。なお、保護具２６が閉位置のときに、開閉ボタン１４ａが押し込み操作されると、その開閉ボタン１４ａとフック部２６ｂとの係合が解除され、バネ４１の付勢力によって保護具２６が図３（ｂ）の実線で示す位置（全開状態）まで回動される。
【００５３】
次に、本実施形態の特徴的な作用効果を記載する。
（１）本実施形態の保護具２６は、使用者の手がミスト放出口２１（ミストノズル２０）に接触しないように保護する開位置（使用位置）を維持し、美容器１０の未使用時にミスト放出口２１への異物の付着を回避する閉位置（未使用位置）を維持するようにした。このため、保護具２６の位置（姿勢）を変更することのみによって、ミスト放出口２１（ミストノズル２０）への使用者の接触及び異物の付着を抑制することができる。したがって、従来のミスト発生装置８０のように、保護具２６と別に本体蓋８５を設ける必要がない。これにより、その本体蓋８５が省略された分だけ美容器１０を小型化することができ、小さなスペースにも美容器１０を収納することができる。さらに、本体蓋８５が省略された分だけ部品点数を減らすことができる。
【００５４】
（２）本実施形態では、ミストノズル２０の回動範囲で保護具２６とミストノズル２０とが連動して回動するようにした。このため、保護具２６を上下方向に回動させることで、ミストノズル２０の角度、ひいてはミスト放出口２１から放出される温ミストの放出方向を上下方向に調整することができる。このように、保護具２６を操作することによって温ミストの放出方向を調整することができるため、その放出方向の調整の操作性を向上させることができる。さらに、ミスト放出口２１に直接触れることなく温ミストの放出方向を調整することができるため、使用者の手がミスト放出口２１に触れることを好適に抑制することができる。
【００５５】
（３）本実施形態では、ミストノズル２０の回動範囲以外で保護具２６がミストノズル２０とは独立して回動するようにした。このため、保護具２６の回動範囲全てで保護具２６とミストノズル２０とが連動して回動する場合と比べて、ミストノズル２０の回動範囲を狭くすることができ、保護具２６及びミストノズル２０周辺の構成をコンパクトにすることができる。
【００５６】
（４）本実施形態では、比較的高温の温ミストを放出するミストノズル２０に対して保護具２６を設けるようにした。これにより、ミストノズル２０から放出された直後で比較的高温の温ミストや、その温ミストを放出しているミスト放出口２１に使用者の手が直接触れることを抑制することができる。
（第２の実施形態）
次に、本発明を美容器に具体化した第２の実施形態を図面に従って説明する。なお、以下の説明では、既に説明した実施形態と同一構成について同一符号を付すなどして、その重複する説明を省略又は簡略化する。
【００５７】
図４に示すように、美容器本体１２において、上ハウジング１３の上面１３ａの前側中央部には、上方に開口する開口部１３ｂが形成されている。上ハウジング１３には、この開口部１３ｂと整合させて凹部１６を形成するベース部材４４が組み付けられている。
【００５８】
ベース部材４４には、美容器本体１２に対し所定角度（例えば、２５〜５５°）で矢印Ｙａ方向（上下方向）に回動可能となるように図示しない支持軸を介して、温ミストを放出（噴射）するミストノズル２０が取着されている。ミストノズル２０は、温ミストを放出するミスト放出口２１の周りを覆うように形成された保持部材としてのノズルカバー２２が一体形成されて構成されている。本実施形態では、ミストノズル２０を上下方向に回動させることで、ミスト放出口２１から放出される温ミストの放出方向を上下方向に調整可能となっている。
【００５９】
ノズルカバー２２においてミスト放出口２１の下方には、ノズルカバー２２の外面の法線方向に延びるように、端面視略Ｕ字状のミストガイド４８が立設されている。ミストガイド４８は、ミスト放出口２１の下方及び左右側方を囲うように形成されており、左右方向及び下方向から使用者の手指がミストノズル２０に接近することを防止するようになっている。ミストガイド４８の基端部であってミスト放出口２１の下方に対応する位置には、ミストガイド４８を上下方向に貫通する逃がし孔４８ａが設けられており、ミストガイド４８の上部で結露した液体（水など）が滞留しないようになっている。
【００６０】
また、ベース部材４４においてミストノズル２０の後方には、ミストノズル２０を保護するための保護具４２が上下方向（矢印Ｙｂに示す）に回動可能に取着されている。保護具４２は、図４（ａ）に示すようにミストノズル２０を覆う第２の位置としての閉位置（閉じられた状態）と、図４（ｂ）に示すように保護具４２の最大開放位置との間で上下方向に回動可能に構成されている。また、本実施形態では、ミストノズル２０の回動範囲（図１０で矢印Ｈ１に示す第１の可動範囲Ｈ１）で保護具４２とミストノズル２０とが連動して回動する一方で、ミストノズル２０の回動範囲以外（図１０で矢印Ｈ２に示す第２の可動範囲Ｈ２）で保護具４２がミストノズル２０とは独立して回動するようになっている。本実施形態では、第１の可動範囲Ｈ１と第２の可動範囲Ｈ２の境界位置が外力によらず保護具４２の回動位置を維持可能な最小開放位置となる（図９に示す）。
【００６１】
図４に示すように、保護具４２は、略半円形の平板状に形成されているとともに、左右の両基端部４２ａが、ベース部材４４に対して回転可能に支持された回転軸４３（図８〜図１０に示す）に固定されている。保護具４２の下面の略中央には、この下面から下方へ向かって平面視略Ｕ字状の前方リブ４２ｂが垂下されている。この前方リブ４２ｂは、保護具４２を閉位置（閉じた状態）とした場合に、ミストガイド４８の内側であってミストノズル２０（ミスト放出口２１）の前方を覆うように配設されている。また、保護具４２の下面において、前方リブ４２ｂの左右側方には、この下面から下方へ向かって、前後方向に延びる一対の側方リブ４２ｃが垂下されている。この側方リブ４２ｃは、保護具４２を閉じた状態とした場合にミストガイド４８の左右側方を覆うように配設されている。すなわち、保護具４２が閉位置に位置している状態において、ミストノズル２０（ミスト放出口２１）は、前方が前方リブ４２ｂに覆われるとともに、左右側方が側方リブ４２ｃ及びミストガイド４８によって覆われるようになっている。このため、本実施形態では、保護具４２を閉位置とした場合に、ミストノズル２０（ミスト放出口２１）から放出される温ミストが前方及び側方に放出されないようになっている。
【００６２】
また、保護具４２の下面には、前方リブ４２ｂから後方へ延びる凹状に形成された排気通路４２ｄが形成されている。排気通路４２ｄにおいて保護具４２の基端部側には、保護具４２の下面と上面とを連通する排気口４２ｅが形成されている。すなわち、本実施形態において排気口４２ｅは、保護具４２において使用者から最も距離をおいた保護具４２の後方に形成されている。本実施形態では、保護具４２を閉位置とした場合に各リブ４２ｂ，４２ｃによって遮られた温ミストが排気通路４２ｄを通過して排気口４２ｅから上方に向かって排出されるようになっている。
【００６３】
また、保護具４２の後側には、ミストノズル２０から放出する温ミストを発生するのに使用される液体（本実施形態では、水）を、所定量（本実施形態では、約１００ｍｌ）貯蔵する給水タンク２９が、美容器本体１２に収容された状態で設置されている。給水タンク２９は、美容器本体１２に対し上下（垂直）方向に挿入及び取り出し可能に収納されている。
【００６４】
上ハウジング１３の上面１３ａにおいて、ミストノズル２０（保護具４２）の左前方には、美容器１０の電源をオン及びオフする際に操作される電源ボタン２７が設けられている。また、上ハウジング１３の上面１３ａにおいて、ミストノズル２０の右前方には、複数種類用意された美容器１０の運転モードのうちから１つの運転モードを選択する際に操作されるモード切替ボタン４５が設けられている。また、上ハウジング１３の上面１３ａには、モード切替ボタン４５と前後方向に並ぶように、モード切替ボタン４５の操作によって選択された運転モードで美容器１０の運転開始させる際、及び運転停止をする際に操作される運転制御ボタン２８が設けられている。
【００６５】
美容器１０（本体ケース１１）の前面側において、上下方向の略中央には、静電霧化装置４６ａ（点線で示す）により液体を霧化させて発生させた帯電微粒子ミスト（帯電微粒子液体）を放出するための帯電微粒子ミスト放出口４６が設けられている。
【００６６】
次に、本実施形態の美容器本体１２（美容器１０）の配管構成（内部構造）について、図５にしたがって説明する。なお、図５に示す水位Ｗは、略一定に保たれるようになっている。
【００６７】
美容器本体１２には、美容器本体１２（上ハウジング１３）の上面１３ａに開口し、給水タンク２９を収納可能なタンクホルダ２９ａが設けられている。タンクホルダ２９ａには、空気抜き孔２９ｃが開口形成されている。また、タンクホルダ２９ａには、オーバーフロー孔２９ｄが設けられており、タンクホルダ２９ａ内の水位がオーバーフロー孔２９ｄの形成位置まで上昇した際に、タンクホルダ２９ａ内の水をタンクホルダ２９ａの外部に排出するようになっている。また、タンクホルダ２９ａの下端には、耐熱性を備えた弾性材料（例えば、シリコンゴムやフッ素ゴム）で形成された給水パイプＰ１の上流端が接続されているとともに、この給水パイプＰ１の下流端は、上下方向に延びる有底略円筒状に形成された貯留部５５の下端部に接続されている。給水パイプＰ１は、給水タンク２９（タンクホルダ２９ａ）から貯留部５５へ水を供給する給水経路Ｋ１を形成している。また、給水パイプＰ１は、途中で分岐されるとともに、空気抜き孔２９ｃに接続されている。このため、本実施形態では、給水パイプＰ１内の空気（気泡）が空気抜き孔２９ｃを介してタンクホルダ２９ａに排出されるようになっている。
【００６８】
貯留部５５の底部には、貯留部５５の底部を２つの領域に区画するように、貯留部５５の底部から上方に延びる板状の仕切り壁５５ａが形成されている。そして、給水パイプＰ１は、貯留部５５の底部において、仕切り壁５５ａで区画された一方の底部に接続されている。また、貯留部５５の底部において、仕切り壁５５ａで区画された他方の底部は、供給された水を温ミストヒータ５７で加熱するための沸騰室５８の下端部と連通部５９により連通されている。連通部５９は、貯留部５５から沸騰室５８へ水を供給する給水経路Ｋ２を形成している。このため、本実施形態において、給水パイプＰ１を介して供給された比較的低温の水は、下端部から貯留部５５内に供給された後に仕切り壁５５ａに沿って上方へ移動し、貯留部５５内に貯留されている水と混合される。そして、本実施形態では、新たに供給された比較的低温の水と、既に貯留部５５内に貯留されている水とを混合した水が沸騰室５８に供給されるようになっている（矢印Ｙｃ，Ｙｄに示す）。
【００６９】
沸騰室５８は、上下方向に沿って立設された温ミストヒータ５７の加熱面５７ａに沿って上下方向に延びる薄平板状に形成されている。温ミストヒータ５７は、例えばＰＴＣ（positive temperature coefficient）素子からなる。連通部５９を介して沸騰室５８に供給された水は、沸騰室５８内で温ミストヒータ５７により加熱され、温ミスト化されるようになっている。また温ミストヒータ５７には、温度センサ５７ｂが設けられている。
【００７０】
沸騰室５８の上端部の側方には、扁平な有底略円筒状に形成された下部温ミスト誘導部材６１が連設されている。本実施形態では、下部温ミスト誘導部材６１が下部温ミスト経路Ｍ２ａを形成している。下部温ミスト誘導部材６１は、沸騰室５８で生成された水蒸気（温ミスト）を一時的に収容するとともに、ミストノズル２０が配設された上方へ誘導するようになっている（矢印Ｙｆで示す）。また、下部温ミスト誘導部材６１の底面には、この下部温ミスト誘導部材６１の底面に開口するように、前述した貯留部５５が連設されている。このため、本実施形態では、下部温ミスト誘導部材６１の内部で結露により生じた水や、沸騰室５８で沸騰することに伴って飛散した水など、比較的高温（約８０〜１００℃）の水が下部温ミスト誘導部材６１を介して貯留部５５へ還流されるようになっている（矢印Ｙｅで示す）。すなわち、温ミストの発生中（温ミストヒータ５７による加熱中）には、給水タンク２９、タンクホルダ２９ａ、及び給水パイプＰ１内の水と比較して、高温の水が貯留部５５に常時供給されることになる。このため、貯留部５５に貯留されている水は、給水タンク２９から新たに供給される水と比較して高温となる。このため、本実施形態では、沸騰室５８に対し予備的に加熱した温水を供給可能とし、給水パイプＰ１から供給される比較的低温（室温）の水を沸騰室５８に直接供給する場合と比較して、温ミストヒータ５７の加熱面５７ａの温度低下を抑制し、温ミストの発生量が低下することを抑制できる。このように、本実施形態では、貯留部５５が還流路としても機能する。
【００７１】
また、本実施形態では、貯留部５５（還流路）及び沸騰室５８が平行に配置される一方で、連通部５９（給水経路Ｋ２）及び下部温ミスト誘導部材６１（温ミスト経路Ｍ２ａ）が平行に配置されている。すなわち、貯留部５５、連通部５９（給水経路Ｋ２）、沸騰室５８、及び下部温ミスト誘導部材６１（温ミスト経路Ｍ２ａ）により、四角環状の管路が形成されている。
【００７２】
下部温ミスト誘導部材６１の上端部には、下部温ミスト誘導部材６１を通過した温ミストをさらに上方（ミストノズル２０）へ誘導するとともに、高圧放電により温ミストを微細化（イオン化）する放電部３２を備えた上部温ミスト誘導部材６２が連設されている。上部温ミスト誘導部材６２の下部（下部温ミスト誘導部材６１の上部）には、上部温ミスト誘導部材６２の底部を形成するとともに、下部温ミスト誘導部材６１の底部と上部温ミスト誘導部材６２の底部との間で段差（段違い構造）を形成する防止壁６３が設けられている。防止壁６３は、沸騰室５８から飛散する比較的高温の水が下部温ミスト誘導部材６１より上方（ミストノズル２０側）へ直接侵入することを阻止するようになっている。このため、本実施形態では、沸騰室５８から飛散した比較的高温の水がミストノズル２０より放出されることを抑制している。
【００７３】
上部温ミスト誘導部材６２内において防止壁６３の上部には、放電部３２が設けられている。放電部３２は、高電圧が印加される一対の放電針６２ａと、各放電針６２ａの間に配設される中間電極部６２ｂとから構成されている。放電部３２では、各放電針６２ａからの高圧放電によって温ミストが微細化される。
【００７４】
上部温ミスト誘導部材６２の上端には、耐熱性を備えた弾性材料（例えば、シリコンゴムやフッ素ゴム）からなり、蛇腹状に形成された蛇腹部材２５の上流端（下端）が連結固定されている。また、蛇腹部材２５の下流端（上端）は、略円筒状に形成されたノズルホルダ２４に連結固定されている。ノズルホルダ２４は、ミストノズル２０（ノズルカバー２２）の内側であってミスト放出口２１の周囲に固着された略円環状のノズルパッキン２３に連結固定されている。このため、本実施形態では、下部温ミスト誘導部材６１を通過した温ミストは、上部温ミスト誘導部材６２、蛇腹部材２５によってミストノズル２０（ミスト放出口２１）へ誘導される（矢印Ｙｇで示す）。本実施形態では、上部温ミスト誘導部材６２、蛇腹部材２５によって、温ミストヒータ５７により発生させた温ミストをミスト放出口２１へ誘導する上部温ミスト経路Ｍ２ｂが形成されている。
【００７５】
本実施形態では、給水タンク２９、タンクホルダ２９ａ、給水パイプＰ１が給水機構部を構成し、貯留部５５（還流路）、沸騰室５８、温ミストヒータ５７、及び下部温ミスト誘導部材６１が加熱機構部を構成する。また、本実施形態では、上部温ミスト誘導部材６２、蛇腹部材２５、ミストノズル２０（ミスト放出口２１）がミスト放出機構部を構成している。そして、本実施形態では、加熱機構部及びミスト放出機構部がミスト発生手段としてのミスト発生機構３０を構成する。
【００７６】
そして、本実施形態では、第１の実施形態とは異なる連結構造により、保護具４２とミストノズル２０とが連結されている。以下、本実施形態の保護具４２とミストノズル２０との連結構造について、図６〜図１０に基づき説明する。
【００７７】
図６に示すように、保護具４２の左右の両基端部４２ａは、ベース部材４４の後部に対して回転可能に支持された回転軸４３に一体となって回動可能に固定されている。また、回転軸４３には、側面視略楕円板状（カム状）をなす当接部材６５が回転軸４３と一体となって回動可能に固定されている。当接部材６５は、回転軸４３の中心軸線Ｗ１から外縁部までの離間距離が一定に保たれることで円弧状をなす第１領域Ｒ１と、この第１領域Ｒ１より前方に設定され、回転軸４３の中心軸線Ｗ１から外縁部までの離間距離が第１領域Ｒ１よりも短く設定された第２領域Ｒ２とが形成されている。また、当接部材６５の外縁部において、第１領域Ｒ１と第２領域Ｒ２との境界部には、中心軸線Ｗ１に直交する方向の外側に突出する突起部６５ａが形成されている。なお、本実施形態において当接部材６５は、保護具４２の一部をなしている。当接部材６５において、突起部６５ａの後側には、突起部６５ａと連続するように曲面（湾曲面）をなす曲面部６５ｂが形成されている。
【００７８】
ベース部材４４において当接部材６５の下方には、ベース部材４４の固定部４４ｃに固定されたバネ６６ａにより上方に向かって付勢された有蓋略円筒状をなす接触部としてのフロート部材６６が配設されている。フロート部材６６は、下方から上方へ向かって直径が減少する略スカート状に形成されている。また、フロート部材６６の外周面には、上下方向に沿って延びるリブ６６ｃが形成されている。また、フロート部材６６は、ベース部材４４に形成された丸孔状の挿入部４４ａに挿入されて上下方向に移動可能に支持されている。フロート部材６６は、リブ６６ｃを介して挿入部４４ａの内周面と接しており、フロート部材６６の外周面と挿入部４４ａの内周面との接触面積を減少させて、スムーズに上下方向に移動可能に構成されている。また、フロート部材６６は、このフロート部材６６の下端部に形成された円環状の突起部６６ｂが挿入部４４ａの下側開口部の周囲に形成された係止部４４ｄに係止されることで、上方への移動が規制されている。
【００７９】
そして、フロート部材６６の上側端部は、当接部材６５の第１領域Ｒ１において、バネ６６ａの付勢力によって当接部材６５の外縁部に接触（当接）し、当接部材６５が回動しないように保持するようになっている。すなわち、本実施形態において、バネ６６ａの付勢力（バネ荷重）は、当接部材６５の第１領域Ｒ１にフロート部材を当接させた際に、保護具４２が自重によって下方（閉位置）へ回動しない荷重に設定されている。このため、当接部材６５の第１領域Ｒ１では、保護具４２が自重によって下方（閉位置）へ回動しないように保持され、保護具４２の回動位置が維持されるようになっている。本実施形態では、保護具４２が第１の可動範囲Ｈ１に位置している場合、フロート部材６６が第１領域Ｒ１に位置し、フロート部材６６が当接部材６５の第１領域Ｒ１に対して直角に接触するように設定されている。
【００８０】
一方、フロート部材６６の上側端部は、当接部材６５の第２領域Ｒ２において、上方への移動が規制されることで当接部材６５の外縁部に接触しないようになっている。すなわち、第２領域Ｒ２において当接部材６５は、フロート部材６６による保持状態が解除された非保持状態とされる。このため、当接部材６５の第２領域Ｒ２では、保護具４２が自重によって下方へ回動するようになっている。本実施形態では、保護具４２が第２の可動範囲Ｈ２に位置している場合、フロート部材６６が第２領域Ｒ２に位置し、当接部材６５に接触しないようになっている。
【００８１】
また、本実施形態において、突起部６５ａは、第１領域Ｒ１と第２領域Ｒ２の境界に位置しているため、保護具４２が最小開放位置を通過する際に、フロート部材６６が乗り越えるように接触（当接）するようになっている。このため、本実施形態の美容器１０では、保護具４２を操作して第１の可動範囲Ｈ１から第２の可動範囲Ｈ２へ移動させた場合、及び第２の可動範囲Ｈ２から第１の可動範囲Ｈ１へ移動させた場合に、突起部６５ａを乗り越えさせるために比較的大きな力が必要となる。このため、本実施形態では、保護具４２の可動範囲の境界部分で比較的大きな抵抗感（所謂、クリック感）を使用者に感じさせることができるようになっている。また、前述のように、本実施形態の当接部材６５には、曲面部６５ｂが形成されており、保護具４２の回動動作に伴ってフロート部材６６が第１領域Ｒ１側から突起部６５ａを乗り越える際の抵抗を小さくするようになっている。
【００８２】
図７に示すように、回転軸４３には、この回転軸４３と一体となって回動可能にヒンジピン６８が固定されている。このため、ヒンジピン６８は、保護具４２の開閉動作に伴って回転軸４３とともに回動するようになっている。また、ベース部材４４には、保護具４２が第１の可動範囲Ｈ１にあることを検知するための検知手段としての開閉検知スイッチ６７が配設されている。この開閉検知スイッチ６７は、保護具４２が第１の可動範囲Ｈ１に位置していることでヒンジピン６８を検知し、開放信号を出力するように構成されている。すなわち、開閉検知スイッチ６７は、保護具４２が第２の可動範囲Ｈ２から第１の可動範囲Ｈ１へ操作されるのに伴って、保護具４２が最小開放位置を通過するのと同時に開放信号の出力を開始する。その一方で、開閉検知スイッチ６７は、保護具４２が第１の可動範囲Ｈ１から第２の可動範囲Ｈ２へ操作されるのに伴って、保護具４２が最小開放位置を通過するのと同時に開放信号の出力を停止するようになっている。
【００８３】
図８〜図１０に示すように、本実施形態において、ミストノズル２０（ノズルカバー２２）と保護具４２とは、リンク機構６９によって連結されている。なお、本実施形態の美容器１０では、ミストノズル２０及び保護具４２の左右両側にリンク機構６９が設けられているため、一方（右側）のリンク機構６９についてのみ説明し、他方（左側）のリンク機構６９についての説明を省略する。
【００８４】
図８〜図１０に示すように、保護具４２が固定された回転軸４３には、略方形板状に形成された第１リンク基台７１が回転軸４３と一体に回動可能に固定されている。第１リンク基台７１には、平板状の部材の中心線が所定の角度（屈曲角度Ｄ）で交差するように一体形成された接続部材としてのリンク部材７２の後端が第１ピン部材７１ａで組み付けられているとともに、このリンク部材７２は、左右方向に水平に延びる第１ピン部材７１ａの軸線周りで回動可能に支持されている。本実施形態のリンク部材７２の屈曲部における屈曲角度Ｄは、鈍角（本実施形態では１３２°）に設定されている。
【００８５】
また、リンク部材７２の前端は、ノズルカバー２２と一体に形成された第２リンク基台７３に第２ピン部材７３ａで組み付けられているとともに、リンク部材７２は、左右方向に水平に延びる第２ピン部材７３ａの軸線周りで回動可能に支持されている。
【００８６】
ノズルカバー２２の内側には、リンク部材７２が可動（動作）するための可動空間Ｓが形成されている。また、ベース部材４４には、規制部３５が設けられているとともに、ミストノズル２０（ノズルカバー２２）は、この規制部３５にミストノズル２０（ミストガイド４８の下面）が当接することにより下方への回動範囲が規制されるようになっている。また、ベース部材４４において、保護具４２の左右の両基端部４２ａに対応する部分には、この両基端部４２ａと当接することで保護具４２の上方への回動を規制する保護具規制部４４ｂが形成されている。
【００８７】
次に、本実施形態の美容器１０の電気的構成について説明する。
図４に示すように、美容器本体１２には、美容器１０の動作を制御するための制御手段としての制御基板７５が設けられている（点線で示す）。制御基板７５には、温ミストヒータ５７、放電部３２、及び静電霧化装置４６ａが電気的に接続されている。また、制御基板７５には、電源ボタン２７、運転制御ボタン２８、及びモード切替ボタン４５が電気的に接続されている。また、制御基板７５には、温度センサ５７ｂ、及び開閉検知スイッチ６７が接続されている。また、制御基板７５には、美容器１０が水平面に載置されているか否かを検知する図示しない傾斜検知センサが接続されている。本実施形態の傾斜検知センサは、美容器１０の底面から下方に突出する検知片を備えるとともに、美容器１０が水平面に載置されることに伴って、検知片が美容器１０の自重により装置内部に押し込まれたことを検知し、検知信号を出力するように構成されている。
【００８８】
本実施形態の制御基板７５は、電源ボタン２７の押下操作によって電源投入がされると、初期運転モードとして帯電微粒子ミスト放出口４６から帯電微粒子ミストを放出させる「帯電微粒子モード」を初期設定する。また、制御基板７５は、モード切替ボタン４５が押下操作された際に出力する操作信号を入力する毎に、「帯電微粒子モード」と、温ミストをミストノズル２０（ミスト放出口２１）から放出させる「温ミストモード」とを切り替えて設定する。なお、制御基板７５は、開閉検知スイッチ６７からの開放信号、及び傾斜検知センサからの検知信号の両信号が入力されていることを条件として、モード切替ボタン４５から操作信号を入力した際に、「温ミストモード」を設定するようになっている。すなわち、制御基板７５は、モード切替ボタン４５から操作信号を入力した場合であっても、開閉検知スイッチ６７からの開放信号、及び傾斜検知センサからの検知信号の両信号を入力していない場合、「温ミストモード」を設定しないように構成されている。また、制御基板７５は、既に「温ミストモード」を設定している場合において、開閉検知スイッチ６７からの開放信号及び傾斜検知センサからの検知信号のうち少なくとも何れか一方を入力しなくなった時点で、「帯電微粒子モード」を設定するようになっている。
【００８９】
制御基板７５は、帯電微粒子モードを設定している場合、運転制御ボタン２８が押下操作された際に出力する操作信号を入力すると、静電霧化装置４６ａを制御して帯電微粒子ミストを生成し、帯電微粒子ミスト放出口４６から放出させる。また、本実施形態の制御基板７５は、「温ミストモード」を設定している場合、運転制御ボタン２８から操作信号を入力すると、温ミストヒータ５７及び放電部３２に通電を開始して温ミストを生成するとともに、ミストノズル２０（ミスト放出口２１）から温ミストを放出させる。
【００９０】
また、制御基板７５は、温ミストヒータ５７及び放電部３２へ通電をしている場合であっても、開閉検知スイッチ６７から開放信号が入力されなくなった時点で温ミストヒータ５７及び放電部３２への通電を停止（中止）する。すなわち、本実施形態の美容器１０では、温ミスト放出中であっても、保護具４２が第１の可動範囲Ｈ１から第２の可動範囲Ｈ２又は閉位置へ回動されたことを契機に温ミストの生成及び放出を停止（中止）するようになっている。
【００９１】
同様に、制御基板７５は、温ミストヒータ５７及び放電部３２へ通電をしている場合であっても、傾斜検知センサから検知信号が入力されなくなった時点で温ミストヒータ５７及び放電部３２への通電を停止（中止）する。このため、本実施形態の美容器１０では、温ミスト放出中であっても、美容器１０が傾斜したり、水平面から浮き上がってしまったりしたことを契機に温ミストの生成及び放出を停止（中止）するようになっている。なお、この場合、制御基板７５は、上ハウジング１３に設けられた図示しない報知ランプ（例えばＬＥＤなど）を制御して異常状態である旨を報知する。
【００９２】
なお、制御基板７５は、温度センサ５７ｂで計測した温ミストヒータ５７の表面温度が所定温度（例えば１２８℃）に達した場合、温ミストヒータ５７への通電を停止して空焚きを防止するようになっている。
【００９３】
次に、本実施形態の美容器１０において、保護具４２及びミストノズル２０（ノズルカバー２２）の動作について説明する。図８は、保護具４２が閉位置に位置している状態を示すとともに、図９は、保護具４２が最小開放位置に位置している状態を示している。また、図１０は、保護具４２が最大開放位置に位置している状態を示している。また、図１１（ｄ）において、実線は保護具４２が閉位置に位置している状態を示し、一点鎖線は保護具４２が最小開放位置に位置している状態を示し、二点鎖線は保護具４２が最大開放位置に位置している状態を示している。
【００９４】
図８、図９、及び図１１（ｄ）に示すように、閉位置から最小開放位置までの第２の可動範囲Ｈ２では、保護具４２の回動動作に伴って第１リンク基台７１が上方へ回動されるとともに、リンク部材７２の後端が上方へ移動される。しかしながら、リンク部材７２の前端及び第２リンク基台７３は、リンク部材７２の移動に連動することなくその位置が維持されるようになっている。このため、第２の可動範囲Ｈ２において、ミストノズル２０は、保護具４２の回動動作に連動して回動しない。すなわち、第２の可動範囲Ｈ２において、保護具４２は、ミストノズル２０から独立して動作するようになっている。なお、第２の可動範囲Ｈ２においてミストノズル２０は、ベース部材４４の規制部３５に接触して下方への回動が規制された状態となっている。
【００９５】
また、図１１（ｃ）に示すように、第２の可動範囲Ｈ２（第２領域Ｒ２）では、保護具４２の回転軸４３に固定された当接部材６５とフロート部材６６が非接触状態とされる。このため、本実施形態の保護具４２は、使用者が保護具４２を上方へ回動操作した後に、第２の可動範囲Ｈ２内で手指を離して操作を中止した場合、保護具４２の自重により閉位置へ自動的に復帰するようになっている。すなわち、本実施形態の保護具４２は、常には閉位置に維持されるようになっている。このため、本実施形態では、美容器１０の不使用時などに閉状態を維持し、埃などの異物がミストノズル２０（ミスト放出口２１）に付着・堆積することを抑制できる。
【００９６】
また、図１１（ｂ）及び図１１（ｄ）に示すように、保護具４２が使用者の操作により上方に回動されて最小開放位置を通過する場合には、フロート部材６６が当接部材６５の突起部６５ａを乗り越えることで操作に抵抗感（クリック感）を生じさせるようになっている。また、本実施形態では、保護具４２が最小開放位置を通過する（操作に抵抗感が生じる）のと略同時に、開閉検知スイッチ６７がヒンジピン６８を検知して開放信号が制御基板７５に出力され、モード切替ボタン４５の操作による「温ミストモード」の設定や、運転制御ボタン２８の操作による温ミストの放出が許容されるようになっている。このため、本実施形態では、最小開放位置を通過する際に生じる抵抗感（クリック感）によって、温ミストを放出可能であることを使用者に理解させることができるようになっている。
【００９７】
また、図１０、及び図１１（ｄ）に示すように、最小開放位置から最大開放位置までの第１の可動範囲Ｈ１内では、保護具４２の上方への回動動作に伴ってリンク部材７２が上方に引き上げられると、連動してノズルカバー２２の第２リンク基台７３が上方に移動される。また、第１の可動範囲Ｈ１内では、保護具４２の下方への回動動作に伴ってリンク部材７２が下方に押下げられると、連動して第２リンク基台７３が下方に移動される。すなわち、第１の可動範囲Ｈ１において、保護具４２の回動動作に連動してミストノズル２０（ノズルカバー２２）が中心軸線Ｗ２を回動中心として上下方向に回動する。このため、第１の可動範囲Ｈ１では、保護具４２を回動操作することで、ミストノズル２０（ミスト放出口２１）からの温ミストの放出方向を調整することができるようになっている。したがって、本実施形態では、温ミストの放出方向を調整する際に、使用者の手指がミストノズル２０（ミスト放出口２１）に近接することを防止できる。
【００９８】
また、図１１（ａ）に示すように、本実施形態において第１の可動範囲Ｈ１（第１領域Ｒ１）内では、保護具４２の回転軸４３に固定された当接部材６５とフロート部材６６が接触状態とされ、使用者が保護具４２の操作を中止して手指を離したとしても、保護具４２の回動位置が維持（保持）される。このため、第１の可動範囲Ｈ１内では、保護具４２の回動位置が維持されることに伴って、温ミストの放出方向が維持されるようになっている。したがって、本実施形態では、保護具４２を回動操作することによって、第１の可動範囲Ｈ１内において温ミストの放出方向を任意に調整可能であるとともに、その温ミストの放出方向を維持（保持）可能になっている。
【００９９】
また、図１０及び図１１（ｄ）に示すように、第１の可動範囲Ｈ１では、ミストノズル２０に対する保護具４２の相対的な位置（開放位置）は一定に維持されるようになっている。より具体的に言えば、第１の可動範囲Ｈ１において、保護具４２は、この保護具４２がミストノズル２０の上方に配置され、且つこの保護具４２によって温ミストの放出が遮られない位置を維持するようになっている。本実施形態では、この第１の可動範囲Ｈ１における、ミストノズル２０に対する保護具４２の位置が第１の位置となる。
【０１００】
本実施形態において第２の可動範囲Ｈ２は、ミストノズル２０（ノズルカバー２２）が下方向への回動が規制されてから保護具４２が閉位置を維持するまでの範囲として把握できる。本実施形態において第２の可動範囲Ｈ２は、保護具４２の閉位置からミストノズル２０（ノズルカバー２２）の上方向への回動が開始されるまでの範囲として把握することも可能である。また、本実施形態において、第１の可動範囲Ｈ１は、ミストノズル２０（ノズルカバー２２）の回動範囲として把握できる。
【０１０１】
以上のように構成された第２の実施形態によれば、第１の実施形態の作用効果（１）〜（４）に加えて、以下の特徴的な作用効果を有する。
（５）リンク機構６９によって保護具４２とミストノズル２０（ノズルカバー２２）とを連結したため、保護具４２とミストノズル２０の動作を連動させることができる。したがって、第１の実施形態と同様に、保護具４２を操作することによってミストノズル２０の回動位置（角度）を調整することができ、そのミストノズルから放出されるミストの放出方向も調整することができる。そして、保護具４２の操作によってミストノズル２０の角度を調整できるため、使用者の手がミストノズル２０に触れることを好適に抑制することができる。
【０１０２】
（６）リンク機構６９を構成するリンク部材７２を屈曲させた。このため、第２の可動範囲Ｈ２では保護具４２がミストノズル２０から独立して動く一方で、第１の可動範囲Ｈ１では、保護具４２とミストノズル２０とが連動するように、第１の可動範囲Ｈ１と第２の可動範囲Ｈ２を分けて設定することができる。
【０１０３】
（７）また、リンク部材７２の屈曲角度を鈍角とした。このため、第１の可動範囲Ｈ１と第２の可動範囲Ｈ２とを分けて設定することができる。
（８）リンク部材７２の可動空間Ｓをミストノズル２０のノズルカバー２２内に設けた。このため、ノズルカバー２２とリンク機構６９のリンク部材７２とが接触することを抑制するとともに、保護具４２とミストノズル２０を少ない力でスムーズに操作することができる。
【０１０４】
（９）保護具４２の開閉状態を検知する開閉検知スイッチ６７と、この開閉検知スイッチ６７からの開放信号に基づき温ミストヒータ５７への通電（温ミストの生成及び放出）を制御する制御基板７５を設けた。このため、保護具４２の開閉状態に応じて、温ミストの生成及び放出を制御することができる。
【０１０５】
（１０）第１の可動範囲Ｈ１において、フロート部材６６が保護具４２と一体に回動する当接部材６５に接触（当接）することにより保護具４２の回動位置が保持される。このため、第１の可動範囲Ｈ１では、保護具４２の回動操作によってミストノズル２０（温ミストの放出方向）を所望の角度に調整した状態を保持することができる。その一方で、第２の可動範囲Ｈ２では、フロート部材６６と当接部材６５とが非接触とされて保護具４２の回動位置の保持が解除されるとともに、保護具４２が自重により閉位置に維持される。このため、保護具４２によりミストノズル２０（ミスト放出口２１）が覆われた状態を維持することができるため、ミストノズル２０への異物の付着・堆積を抑制できる。
【０１０６】
（１１）フロート部材６６を保護具４２に対して移動可能に構成した。このため、保護具４２が可動範囲を跨いで回動操作される場合に、当接部材６５とフロート部材６６の接触状態と非接触状態とが切替えられることで、保護具４２の操作感（操作に要する力）を変化させ、第１の可動範囲Ｈ１と第２の可動範囲Ｈ２との境界を使用者に認識させることができる。
【０１０７】
尚、本発明の各実施形態は、以下のように変更してもよい。
・上記第１の実施形態の保護具２６及び回転支持片４０は、使用者の手がミスト放出口２１に触れるのを抑制する開位置と、美容器１０の未使用時にミスト放出口２１への異物の付着を回避する閉位置との双方を維持可能な構成であれば、その構成を適宜変更してもよい。
【０１０８】
例えば保護具２６の支持構成を図１２に示すような構成に変更してもよい。すなわち、ノズルカバー２２に支持部５０が固着されている。この支持部５０は、ベース部５１にバネ５２の一端が固着され、ガイド部５３に沿って上下方向に摺動可能に形成された可動フック５４に上記バネ５２の他端が固着されるように構成されている。
【０１０９】
また、保護具２６は、カム２６ｃに固着され、そのカム２６ｃの中心軸線Ｚを回転中心として回動可能にミストノズル２０のノズルカバー２２に取着されている。そして、保護具２６の開位置においては、図１２（ａ）に示すように、バネ５２の付勢力によって可動フック５４が上方に付勢され、その可動フック５４と上記カム２６ｃの凸部２６ｄとが嵌合される。ここで、上記付勢力は、ミストノズル２０を可動させる可動力よりも大きくなるように設定されている。このため、ミストノズル２０の回動範囲では、カム２６ｃの凸部２６ｄが可動フック５４に嵌合したままミストノズル２０、保護具２６及び支持部５０が一体となって中心軸線Ｘを回転中心として回動する（図１２（ａ）、（ｂ）参照）。すなわち、ミストノズル２０の回動範囲では、保護具２６とミストノズル２０（ミスト放出口２１）との上下方向の位置関係が維持されたままそれら保護具２６とミストノズル２０とが連動して回動する。
【０１１０】
一方、図１２（ｂ）に示すようにミストノズル２０の回動が規制部３５によって規制された後、保護具２６に対してバネ５２の付勢力よりも強い力が加えられると、可動フック５４がバネ５２の付勢力に抗して下動し、カム２６ｃの凸部２６ｄと可動フック５４との嵌合が外れる。すると、保護具２６及びカム２６ｃがミストノズル２０とは独立して中心軸線Ｚを回転中心として矢印Ｂ方向（閉方向）に回動される。
【０１１１】
このような構成であっても、上記第１の実施形態と同様の作用効果を得ることができる。なお、ここでは、付勢手段としてバネ５２を使用したが、弾性部材（ゴムやスポンジなど）ならば、任意に変更してもよい。
【０１１２】
・また、上記第１の実施形態において、保護具２６の支持構成を図１３に示すような構成に変更してもよい。すなわち、先の図３及び図１２に示した保護具２６では、所定の回動範囲（ミストノズル２０の回動範囲）で保護具２６とミストノズル２０とが連動して回動し、それ以外の可動範囲で保護具２６が独立して回動するように構成したが、図１３に示す保護具２６では、保護具２６の全ての回動範囲でミストノズル２０と連動して回動するように構成した。具体的には、ミストノズル２０のノズルカバー２２に支持部６０を固着し、その支持部６０に保護具２６を固着し、ミストノズル２０と保護具２６とを一体に形成するようにした。この場合の保護具２６及び支持部６０は、ミストノズル２０と連動して中心軸線Ｘを回転中心として上下方向に回動する。なお、この場合には、保護具２６のフック部２６ｂが開閉ボタン１４ａ（図１参照）に係合可能な位置まで保護具２６を回動させることができるように、規制部３５ａによってミストノズル２０の回動範囲が上記実施形態の場合よりも広く設定されている。
【０１１３】
このような構成であっても、上記第１の実施形態の（１）、（２）、（４）と同様の作用効果を得ることができる。
・また、保護具２６の支持構成を図１４に示すような構成に変更してもよい。すなわち、本体ケース１１に固着された支持部７０に、保護具２６が回転支点Ｖを回転中心として回動可能に取着されている。その一方で、ミストノズル２０は、美容器本体１２に対して中心軸線Ｘを回転中心として回動可能に取着されている。このため、保護具２６は、全ての回動範囲においてミストノズル２０とは独立して回動するようになっている。なお、この場合、ミストノズル２０から放出される温ミストの放出方向を上下方向に調整するには、ノズルカバー２２を操作してそのノズルカバー２２を上下方向に回動させる必要がある。但し、このような構成であっても、保護具２６の開位置では、図１４に示すように、保護具２６がミスト放出口２１（ミストノズル２０）からの距離を規制するようにミスト放出口２１の上方に配置されるため、使用者の手がミスト放出口２１に触れるのを抑制することができる。例えば保護具２６の上方から下方へ向けて使用者の手が移動し、ミスト放出口２１に触れようとすると、ミスト放出口２１に触れる前に保護具２６に手が接触することになるため、使用者の手が意図せずにミスト放出口２１に直接触れることを抑制することができる。このため、このような構成であっても、上記第１の実施形態の（１）と同様の作用効果を得ることができる。
【０１１４】
・上記第１の実施形態では、保護具２６とミストノズル２０とを連結させるためにバネ４１を使用したが、弾性部材ならば、任意に変更してもよい。例えば、ゴムやスポンジなどに変更してもよい。
【０１１５】
・上記各実施形態の保護具２６，４２の形状を適宜変更してもよい。例えば保護具２６，４２を、内部に空間を有する略御椀状に形成するようにしてもよい。なお、この場合には、保護具２６，４２の閉位置において、その保護具２６，４２の内部に形成された空間にミストノズル２０が収納される。
【０１１６】
・上記第１の実施形態では、保護具２６にフック部２６ｂを設け、このフック部２６ｂを美容器本体１２（の突出部１４）に係合させるようにしたが、例えば美容器本体１２にフック部を設け、このフック部を保護具２６に係合させる構成としてもよい。また、その係合を解除するための開閉ボタンを保護具２６に設けるようにしてもよい。
【０１１７】
・上記第１の実施形態では、開閉ボタン１４ａの押し込み操作によってその開閉ボタン１４ａと保護具２６のフック部２６ｂとの係合を解除するようにした。これに限らず、例えば開閉ボタン１４ａを省略して突出部１４に凹部を形成し、その凹部に保護具２６のフック部２６ｂを係合させる構成とし、閉位置から開位置に移行させる際に保護具２６を撓ませることでその係合を解除させるようにしてもよい。
【０１１８】
・上記第２の実施形態において、第１の実施形態と同様に開閉ボタン１４ａ及びフック部２６ｂを設けて閉位置に維持するように構成してもよい。
・上記第２の実施形態において、リンク部材７２の屈曲角度Ｄは異なる角度に設定してもよい。すなわち、リンク部材７２の屈曲角度Ｄは、鈍角であればどのような角度に設定してもよい。
【０１１９】
・上記第２の実施形態において、リンク部材７２の屈曲角度Ｄは、鋭角に設定してもよく、また屈曲部を省略して直線状に形成してもよい。
・上記第２の実施形態において、リンク部材７２は平板状に形成したが、断面円形や多角形の棒状に形成してもよい。
【０１２０】
・上記第２の実施形態において、フロート部材６６をゴムやスポンジなどの弾性体により付勢するようにしてもよい。また、フロート部材６６に代えて、板ばねなどを当接部材６５に当接させるようにしてもよい。
【０１２１】
・上記第２の実施形態において、当接部材６５の突起部６５ａを省略してもよい。このように構成しても、当接部材６５とフロート部材６６の状態が非接触状態及び接触状態の間で変化することで保護具４２の操作感（操作に要する力）に変化を与え、使用者に第１の可動範囲Ｈ１と第２の可動範囲Ｈ２の境界を認識させることができる。
【０１２２】
・上記第２の実施形態において、第２領域Ｒ２でもフロート部材６６が当接部材６５と接触するように構成してもよい。この場合、当接部材６５の第２領域Ｒ２にフロート部材６６が当接されることで、保護具４２の自重による下方（閉位置）への回動が妨げられないように構成する。例えば、当接部材６５の第２領域Ｒ２は、この第２領域Ｒ２にフロート部材６６が接触した状態において、側面視でフロート部材６６の付勢方向に対して前方に向かって上がる様に傾斜する直線をなす平面状に形成するとよい。このように構成によれば、当接部材６５の第２領域Ｒ２にフロート部材６６が接触した際に、このフロート部材６６が当接部材６５の第２領域Ｒ２に対して直角に接触しないようにできる。このため、本変形例では、バネ６６ａの付勢力を逃がし、保護具４２の自重による下方（閉位置）への回動が妨げられないようにできる。
【０１２３】
・上記第２の実施形態において、フロート部材６６を保護具４２の基端部４２ａに直接接触させるようにしてもよい。
・上記各実施形態のミストノズル２０におけるノズルカバー２２を省略するようにしてもよい。
【０１２４】
・上記各実施形態では、ミストノズル２０をその回動範囲において異なる複数の角度の位置で維持可能な構成としたが、例えば単一の角度の位置のみで維持可能なようにミストノズル２０を構成するようにしてもよい。
【０１２５】
・上記各実施形態では、ミスト発生機構３０にて温ミストを生成する構成としたが、例えば温ミストよりも低温の冷ミストを生成する構成としてもよい。なお、この場合、ミストノズル２０から冷ミストが放出される。
【０１２６】
・上記各実施形態では、温ミストヒータ３１ａ，５７にて水（他の液体でも可）を沸騰させて温ミストを生成する構成としたが、超音波振動にて液体をミスト化する装置や静電霧化装置を用いてミスト化する装置等を用い、温ミストや冷ミストを生成してもよい。
【０１２７】
・上記各実施形態では、温ミストが放出されるミストノズル２０を一つ設けたが、ミストノズルを二つ以上設けるようにしてもよい。このとき、温ミストが放出される温ミストノズルを複数設けるようにしてもよいし、冷ミストが放出される冷ミストノズルを複数設けるようにしてもよい。また、一つ又は複数の温ミストノズルと一つ又は複数の冷ミストノズルとを設けるようにしてもよい。
【０１２８】
・上記第１の実施形態の美容器１０において、ミストノズル２０と併せて、マイナスイオンやプラスイオンなどを放出するノズルや、保湿剤や美白剤などの薬剤を放出するノズルや、帯電微粒子液体を放出するノズルなどを設けるようにしてもよい。この場合、少なくともミストノズル２０に対して保護具２６が設けられていれば、上記実施形態と同様の作用効果を得ることができる。
【０１２９】
・上記各実施形態において、温ミストヒータ３１ａ，５７で加熱して温ミストを生成するための液体として、保湿剤や美白剤などを含む液体や、芳香剤を含む液体を給水タンク２９に貯留するようにしてもよい。
【符号の説明】
【０１３０】
１０…美容器（ミスト発生装置、美容装置）、２０…ミストノズル、２１…ミスト放出口（ミストノズル）、２２…ノズルカバー（保持部材）、２６…保護具、３０…ミスト発生機構（ミスト発生手段）、４２…保護具、６５…当接部材、６６…フロート部材（接触部）、６７…開閉検知スイッチ（検知手段）、６９…リンク機構、７２…リンク部材、７５…制御基板（制御手段）、Ｄ…屈曲角度、Ｓ…可動空間。
【図１】
2011087909.tif 000003
【図２】
2011087909.tif 000004
【図３】
2011087909.tif 000005
【図４】
2011087909.tif 000006
【図５】
2011087909.tif 000007
【図６】
2011087909.tif 000008
【図７】
2011087909.tif 000009
【図８】
2011087909.tif 000010
【図９】
2011087909.tif 000011
【図１０】
2011087909.tif 000012
【図１１】
2011087909.tif 000013
【図１２】
2011087909.tif 000014
【図１３】
2011087909.tif 000015
【図１４】
2011087909.tif 000016
【図１５】
2011087909.tif 000017